(57)【要約】【課題】携帯端末に対してユーザが操作を行うことなく、携帯端末の接続先の電子機器を切り替えられるようすること。【解決手段】携帯端末は、インターネットアクセスポイントに接続するための第１の無線通信を行う第１の通信部と、電子機器に接続するための第２の無線通信を行う第２の通信部と、第２の通信部との間で第２の無線通信を行う電子機器をインターネットアクセスポイントまたは携帯端末の位置情報に関連付けて保持する記憶部と、を備え、第２の通信部は、第１の通信部によって検出されたインターネットアクセスポイントまたは携帯端末によって検出された位置情報に対して記憶部において関連付けられた電子機器との間で第２の無線通信を確立する。【選択図】図１
2013251809.tif 000002
【特許請求の範囲】
【請求項１】
インターネットアクセスポイントに接続するための第１の無線通信を行う第１の通信部と、
電子機器に接続するための第２の無線通信を行う第２の通信部と、
前記第２の通信部との間で前記第２の無線通信を行う電子機器をインターネットアクセスポイントまたは携帯端末の位置情報に関連付けて保持する記憶部と、を備え、
前記第２の通信部は、前記第１の通信部によって検出されたインターネットアクセスポイントまたは前記携帯端末によって検出された位置情報に対して前記記憶部において関連付けられた電子機器との間で前記第２の無線通信を確立する、前記携帯端末。
【請求項２】
前記記憶部は、前記第２の通信部との間で前記第２の無線通信を行う第１の電子機器を第１のインターネットアクセスポイントに関連付けて保持するとともに、前記第２の通信部との間で前記第２の無線通信を行う第２の電子機器を第２のインターネットアクセスポイントに関連付けて保持し、
前記第２の通信部は、前記第１の電子機器との間で前記第２の無線通信が確立されている場合に、前記第１の通信部によって前記第２のインターネットアクセスポイントが検出されたときには、前記第２の電子機器との間で前記第２の無線通信を確立する、請求項１に記載の携帯端末。
【請求項３】
前記第２の通信部は、前記第１の電子機器との間で前記第２の無線通信が確立されている場合に、前記第１の通信部によって前記第２のインターネットアクセスポイントが検出されたときには、前記第１の電子機器との間に確立された前記第２の無線通信を切断する、請求項２に記載の携帯端末。
【請求項４】
前記記憶部は、前記第２の通信部との間で前記第２の無線通信を行う電子機器および該電子機器で再生されるコンテンツをインターネットアクセスポイントに関連付けて保持し、
前記第２の通信部は、前記第１の通信部によって検出されたインターネットアクセスポイントに関連付けられた電子機器との間で前記第２の無線通信を行うことで、該電子機器に対して、該インターネットアクセスポイントに関連付けられたコンテンツを再生するように指示する、請求項１に記載の携帯端末。
【請求項５】
ＧＰＳ（Global Positioning System）機能を用いて前記位置情報を検出する、請求項１に記載の携帯端末。
【請求項６】
前記記憶部は、前記第２の通信部との間で前記第２の無線通信を行う第１の電子機器を第１の位置情報に関連付けて保持するとともに、前記第２の通信部との間で前記第２の無線通信を行う第２の電子機器を第２の位置情報に関連付けて保持し、
前記第２の通信部は、前記第１の電子機器との間で前記第２の無線通信が確立されている場合に、前記携帯端末によって前記第２の位置情報が検出されたときには、前記第２の電子機器との間で前記第２の無線通信を確立する、請求項５に記載の携帯端末。
【請求項７】
前記第２の通信部は、前記第１の電子機器との間で前記第２の無線通信が確立されている場合に、前記携帯端末によって前記第２の位置情報が検出されたときには、前記第１の電子機器との間に確立された前記第２の無線通信を切断する、請求項６に記載の携帯端末。
【請求項８】
前記記憶部は、前記第２の通信部との間で前記第２の無線通信を行う電子機器および該電子機器で再生されるコンテンツを前記携帯端末の位置情報に関連付けて保持し、
前記第２の通信部は、前記携帯端末によって検出された前記携帯端末の位置情報に関連付けられた電子機器との間で前記第２の無線通信を行うことで、該電子機器に対して、該位置情報に関連付けられたコンテンツを再生するように指示する、請求項５に記載の携帯端末。
【請求項９】
携帯端末が、インターネットアクセスポイントに接続するための第１の無線通信を行う工程と、
機器同士を相互に接続するための第２の無線通信を行う工程と、
前記第２の無線通信を行う電子機器をインターネットアクセスポイントまたは前記携帯端末の位置情報に関連付けて記憶部に保持する工程と、
インターネットアクセスポイントまたは前記携帯端末の位置情報を検出する工程と、
検出されたインターネットアクセスポイントまたは位置情報に対して前記記憶部において関連付けられた電子機器との間で前記第２の無線通信を確立する工程と、を含む、無線通信方法。
【請求項１０】
インターネットアクセスポイントに接続するための第１の無線通信を行う処理と、
機器同士を相互に接続するための第２の無線通信を行う処理と、
前記第２の無線通信を行う電子機器をインターネットアクセスポイントまたは携帯端末の位置情報に関連付けて記憶部に保持する処理と、
インターネットアクセスポイントまたは前記携帯端末の位置情報を検出する処理と、
検出されたインターネットアクセスポイントまたは位置情報に対して前記記憶部において関連付けられた電子機器との間で前記第２の無線通信を確立する処理とを、前記携帯端末に設けられたコンピュータに実行させる、プログラム。
【発明の詳細な説明】
【技術分野】
【０００１】
本発明は、携帯端末、無線通信方法およびプログラムに関し、特に、携帯音楽プレーヤ、ステレオ装置などの電子機器との間で無線通信を行う携帯電話機、ノートパソコンなどの携帯端末、携帯端末が無線通信を行う相手方の電子機器を切り替える無線通信方法、および、携帯端末に設けられたコンピュータにかかる無線通信方法を実行させるプログラムに関する。
【背景技術】
【０００２】
近年、ヘッドセット、ホームステレオ、ＡＶ機器などの電子機器において、Bluetooth（登録商標）通信に対応した製品が増えて来ている。また、携帯電話機などの携帯端末内の音楽データ、画像データなどのコンテンツを、携帯端末からこれらの電子機器に対してBluetooth通信で送信し、これらの電子機器においてコンテンツを再生する機会が増加している。
【０００３】
特許文献１には、無線ＬＡＮ通信モジュールおよびBluetooth通信モジュールを備えた携帯電話機が記載されている。また、特許文献２には、Bluetooth、ＮＦＣ（Near Field Communication）等の複数の無線通信機能を有する携帯電話機が記載されている。
【先行技術文献】
【特許文献】
【０００４】
【特許文献１】特開２０１１−１９３１６２号公報
【特許文献２】特開２０１１−１４７００４号公報
【発明の概要】
【発明が解決しようとする課題】
【０００５】
以下の分析は、本発明者によってなされたものである。
【０００６】
携帯端末と電子機器との間でコンテンツをやり取りする関連技術の問題点について、図９のシーケンス図を参照して説明する。図９に示すように、携帯端末１１０は、電子機器であるホームステレオＥａおよびヘッドセットＥｂとの間でBluetooth通信を行うものとする。ここでは、一例として、携帯端末１１０のユーザはヘッドセットＥｂを装着して外出しており、ユーザに自宅にはホームステレオＥａが備えられているものとする。
【０００７】
図９を参照すると、携帯端末１１０は、ユーザの操作に基づいて、ヘッドセットＥｂに向けて通信確立リクエストを送出する。ヘッドセットＥｂからのレスポンスを受けることで、携帯端末１１０とヘッドセットＥｂとの間でBluetooth通信が確立する。次に、携帯端末１１０からヘッドセットＥｂに向けて、音楽データなどのコンテンツがBluetooth通信によって送信される。
【０００８】
ここで、携帯端末１１０のユーザが外出先から帰宅し、Bluetooth通信の接続先をヘッドセットＥｂからホームステレオＥａに切り替えたい場合を考える。携帯端末１１０とヘッドセットＥｂとがBluetooth通信を確立した状態のときに、Bluetooth通信の接続先をホームステレオＥａに切り替える場合、携帯端末１１０に対するユーザによる操作が必要とされる。すなわち、ユーザは、携帯端末１１０を操作して、ホームステレオＥａに対する通信確立リクエストを送出する必要がある。しかしながら、このユーザによる操作（図９の破線）が煩わしいという問題がある。
【０００９】
特許文献１に記載された技術によると、携帯端末は接続先の電子機器をスキャンによって探索する。一方、特許文献２に記載された技術によると、携帯端末は第１の無線通信（例えば、ＮＦＣ）を用いて第２の電子機器との間で通信を確立することにより、第２の無線通信（例えば、Bluetooth通信）による携帯端末の接続先を第１の電子機器から第２の電子機器に切り替える。これらの構成によると、切り替え先の電子機器が携帯端末によるスキャンによって検出できなかった場合や、切り替え先の電子機器と携帯端末の間で第１の無線通信に基づく通信を確立できなかった場合に、携帯端末の接続先の電子機器の切り替えが困難となる。
【００１０】
そこで、携帯端末に対してユーザが操作を行うことなく、携帯端末の接続先の電子機器を切り替えられるようすることが課題となる。本発明の目的は、かかる課題を解決する携帯端末、無線通信方法およびプログラムを提供することにある。
【課題を解決するための手段】
【００１１】
本発明の第１の視点に係る携帯端末は、
インターネットアクセスポイントに接続するための第１の無線通信を行う第１の通信部と、
電子機器に接続するための第２の無線通信を行う第２の通信部と、
前記第２の通信部との間で前記第２の無線通信を行う電子機器をインターネットアクセスポイントまたは前記携帯端末の位置情報に関連付けて保持する記憶部と、を備え、
前記第２の通信部は、前記第１の通信部によって検出されたインターネットアクセスポイントまたは前記携帯端末によって検出された位置情報に対して前記記憶部において関連付けられた電子機器との間で前記第２の無線通信を確立する。
【００１２】
本発明の第２の視点に係る無線通信方法は、
携帯端末が、インターネットアクセスポイントに接続するための第１の無線通信を行う工程と、
機器同士を相互に接続するための第２の無線通信を行う工程と、
前記第２の無線通信を行う電子機器をインターネットアクセスポイントまたは前記携帯端末の位置情報に関連付けて記憶部に保持する工程と、
インターネットアクセスポイントまたは前記携帯端末の位置情報を検出する工程と、
検出されたインターネットアクセスポイントまたは位置情報に対して前記記憶部において関連付けられた電子機器との間で前記第２の無線通信を確立する工程と、を含む。
【００１３】
本発明の第３の視点に係るプログラムは、
インターネットアクセスポイントに接続するための第１の無線通信を行う処理と、
機器同士を相互に接続するための第２の無線通信を行う処理と、
前記第２の無線通信を行う電子機器をインターネットアクセスポイントまたは携帯端末の位置情報に関連付けて記憶部に保持する処理と、
インターネットアクセスポイントまたは前記携帯端末の位置情報を検出する処理と、
検出されたインターネットアクセスポイントまたは位置情報に対して前記記憶部において関連付けられた電子機器との間で前記第２の無線通信を確立する処理とを、前記携帯端末に設けられたコンピュータに実行させる。
【００１４】
なお、プログラムは、non-transitoryなコンピュータ読み取り可能な記録媒体（non-transient computer-readable storage medium）に記録されたプログラム製品として提供することができる。
【発明の効果】
【００１５】
本発明に係る携帯端末、無線通信方法およびプログラムによると、携帯端末に対してユーザが操作を行うことなく、携帯端末の接続先の電子機器を切り替えることが可能となる。
【図面の簡単な説明】
【００１６】
【図１】第１の実施形態に係る携帯端末の構成を一例として示すブロック図である。
【図２】第１の実施形態に係る携帯端末の構成を一例として示すブロック図である。
【図３】第１の実施形態に係る携帯端末の記憶部に格納されたテーブルを一例として示す図である。
【図４】第１の実施形態に係る携帯端末の動作を一例として示す図である。
【図５】第１の実施形態に係る携帯端末の動作を一例として示すフロー図である。
【図６】第２の実施形態に係る携帯端末の記憶部に格納されたテーブルを一例として示す図である。
【図７】第３の実施形態に係る携帯端末の記憶部に格納されたテーブルを一例として示す図である。
【図８】第３の実施形態に係る携帯端末の動作を一例として示す図である。
【図９】関連技術の問題点について説明するためのシーケンス図である。
【発明を実施するための形態】
【００１７】
はじめに、一実施形態の概要について説明する。なお、この概要に付記する図面参照符号は、専ら理解を助けるための例示であり、本発明を図示の態様に限定することを意図するものではない。
【００１８】
図１は、一実施形態に係る携帯端末（１０）の構成を示すブロック図である。図１を参照すると、携帯端末（１０）は、インターネットアクセスポイントに接続するための第１の無線通信（例えば、Wi-Fi通信）を行う第１の通信部（１１）と、電子機器に接続するための第２の無線通信（例えば、Bluetooth通信）を行う第２の通信部（１２）と、第２の通信部（１２）との間で第２の無線通信を行う電子機器をインターネットアクセスポイントまたは携帯端末の位置情報に関連付けて保持する記憶部（１３）と、を備える。第２の通信部（１２）は、第１の通信部（１１）によって検出されたインターネットアクセスポイントまたは携帯端末（１０）によって検出された位置情報に対して記憶部（１３）において関連付けられた電子機器との間で第２の無線通信を確立する。
【００１９】
図３は、携帯端末（１０）の記憶部（１３）に格納されたテーブルを一例として示す図である。図３を参照すると、記憶部（１３）は、第２の通信部（１２）との間で第２の無線通信を行う第１の電子機器（Ｅ１）を第１のインターネットアクセスポイント（Ａ１）に関連付けて保持する。また、記憶部（１３）は、第２の通信部（１２）との間で第２の無線通信を行う第２の電子機器（Ｅ２）を第２のインターネットアクセスポイント（Ａ２）に関連付けて保持する。図４を参照すると、第２の通信部（１２）は、第１の電子機器（Ｅ１）との間で第２の無線通信（左側破線）が確立されている場合に、第１の通信部（１１）によって第２のインターネットアクセスポイント（Ａ２）が検出されたときには、第２の電子機器（Ｅ２）との間で第２の無線通信（右側破線）を確立する。
【００２０】
ここで、第２の通信部（１２）は、第１の電子機器（Ｅ１）との間で第２の無線通信（左側は線）が確立されている場合に、第１の通信部（１１）によって第２のインターネットアクセスポイント（Ａ２）が検出されたときには、第１の電子機器（Ｅ１）との間に確立された第２の無線通信（左側破線）を切断してもよい。
【００２１】
図６は、携帯端末（１０）の記憶部（１３）に格納されたテーブルの他の例を示す図である。図６を参照すると、記憶部（１３）は、第２の通信部（１２）との間で第２の無線通信（例えば、Bluetooth通信）を行う電子機器（Ｅｉ）および電子機器で再生されるコンテンツ（Ｃｉ）をインターネットアクセスポイント（Ａｉ）に関連付けて保持する（ｉ＝１〜ｍ）。第２の通信部（１２）は、第１の通信部（１１）によって検出されたインターネットアクセスポイント（例えば、Ａ１）に関連付けられた電子機器（Ｅ１）との間で第２の無線通信を行うことで、電子機器（Ｅ１）に対して、インターネットアクセスポイント（Ａ１）に関連付けられたコンテンツ（Ｃ１）を再生するように指示する。
【００２２】
また、携帯端末（１０）は、ＧＰＳ（Global Positioning System）機能を用いて上記位置情報を検出してもよい。図７（ａ）は、携帯端末（１０）の記憶部（１３）に格納されたテーブルの他の例を示す図である。図７（ａ）を参照すると、記憶部（１３）は、第２の通信部（１２）との間で第２の無線通信（例えば、Bluetooth通信）を行う第１の電子機器（Ｅ１）を第１の位置情報（Ｌ１）に関連付けて保持する。また、記憶部（１３）は、第２の通信部（１２）との間で第２の無線通信を行う第２の電子機器（Ｅ２）を第２の位置情報（Ｌ２）に関連付けて保持する。図８は、かかる携帯端末（１０）の動作を示す図である。図８を参照すると、第２の通信部（１２）は、第１の電子機器（Ｅ１）との間で第２の無線通信（左側破線）が確立されている場合に、第２の位置情報（Ｌ２）が検出されたときには、第２の電子機器（Ｅ２）との間で第２の無線通信（右側破線）を確立する。
【００２３】
また、第２の通信部（１２）は、第１の電子機器（Ｅ１）との間で第２の無線通信が確立されている場合に、携帯端末（１０）によって第２の位置情報（Ｌ２）が検出されたときには、第１の電子機器（Ｅ１）との間に確立された第２の無線通信（図８の左側破線）を切断してもよい。
【００２４】
図７（ｂ）は、携帯端末（１０）の記憶部（１３）に格納されたテーブルの他の例を示す図である。図７（ｂ）を参照すると、記憶部（１３）は、第２の通信部（１２）との間で第２の無線通信を行う電子機器（Ｅｉ）および電子機器（Ｅｉ）で再生されるコンテンツ（Ｃｉ）を携帯端末（１０）の位置情報（Ｌｉ）に関連付けて保持する。第２の通信部（１２）は、携帯端末（１０）によって検出された携帯端末（１０）の位置情報（例えば、Ｌ１）に関連付けられた電子機器（Ｅ１）との間で第２の無線通信を行うことで、電子機器（Ｅ１）に対して、位置情報（Ｌ１）に関連付けられたコンテンツ（Ｃ１）を再生するように指示する。
【００２５】
一実施形態に係る携帯端末（１０）によると、携帯端末（１０）に対してユーザが操作を行うことなく、携帯端末（１０）の接続先の電子機器を、第１の電子機器から第２の電子機器に切り替えることが可能となる。また、接続先の電子機器を切り替えるのみならず、切り替え先の電子機器において再生させるコンテンツを指定することも可能となる。
【００２６】
さらに、一実施形態に係る携帯端末（１０）によると、特許文献１、２に記載された技術のように、携帯端末が接続先の電子機器をスキャンによって探索し、または、第１の無線通信を用いて切り替え先の電子機器との間で通信を確立する必要がなくなる。したがって、一実施形態に係る携帯端末（１０）によると、切り替え先の電子機器が携帯端末によるスキャンによって検出できなかった場合や、切り替え先の電子機器と携帯端末の間で第１の無線通信に基づく通信を確立できなかった場合に、携帯端末の接続先の電子機器の切り替えができなくなることを防ぐことができる。
【００２７】
なお、本発明において、下記の形態が可能である。
［形態１］
前記第１の視点に係る携帯端末のとおりである。
［形態２］
前記記憶部は、前記第２の通信部との間で前記第２の無線通信を行う第１の電子機器を第１のインターネットアクセスポイントに関連付けて保持するとともに、前記第２の通信部との間で前記第２の無線通信を行う第２の電子機器を第２のインターネットアクセスポイントに関連付けて保持し、
前記第２の通信部は、前記第１の電子機器との間で前記第２の無線通信が確立されている場合に、前記第１の通信部によって前記第２のインターネットアクセスポイントが検出されたときには、前記第２の電子機器との間で前記第２の無線通信を確立してもよい。
［形態３］
前記第２の通信部は、前記第１の電子機器との間で前記第２の無線通信が確立されている場合に、前記第１の通信部によって前記第２のインターネットアクセスポイントが検出されたときには、前記第１の電子機器との間に確立された前記第２の無線通信を切断してもよい。
［形態４］
前記記憶部は、前記第２の通信部との間で前記第２の無線通信を行う電子機器および該電子機器で再生されるコンテンツをインターネットアクセスポイントに関連付けて保持し、
前記第２の通信部は、前記第１の通信部によって検出されたインターネットアクセスポイントに関連付けられた電子機器との間で前記第２の無線通信を行うことで、該電子機器に対して、該インターネットアクセスポイントに関連付けられたコンテンツを再生するように指示してもよい。
［形態５］
ＧＰＳ（Global Positioning System）機能を用いて前記位置情報を検出してもよい。
［形態６］
前記記憶部は、前記第２の通信部との間で前記第２の無線通信を行う第１の電子機器を第１の位置情報に関連付けて保持するとともに、前記第２の通信部との間で前記第２の無線通信を行う第２の電子機器を第２の位置情報に関連付けて保持し、
前記第２の通信部は、前記第１の電子機器との間で前記第２の無線通信が確立されている場合に、前記携帯端末によって前記第２の位置情報が検出されたときには、前記第２の電子機器との間で前記第２の無線通信を確立してもよい。
［形態７］
前記第２の通信部は、前記第１の電子機器との間で前記第２の無線通信が確立されている場合に、前記携帯端末によって前記第２の位置情報が検出されたときには、前記第１の電子機器との間に確立された前記第２の無線通信を切断してもよい。
［形態８］
前記記憶部は、前記第２の通信部との間で前記第２の無線通信を行う電子機器および該電子機器で再生されるコンテンツを前記携帯端末の位置情報に関連付けて保持し、
前記第２の通信部は、前記携帯端末によって検出された前記携帯端末の位置情報に関連付けられた電子機器との間で前記第２の無線通信を行うことで、該電子機器に対して、該位置情報に関連付けられたコンテンツを再生するように指示してもよい。
［形態９］
前記第１の無線通信は、Wi-Fi通信であってもよい。
［形態１０］
前記第２の無線通信は、Bluetooth通信であってもよい。
［形態１１］
前記第２の視点に係る無線通信方法のとおりである。
［形態１２］
前記無線通信方法は、前記携帯端末が、前記第２の無線通信を行う第１の電子機器を第１のインターネットアクセスポイントと関連付けて前記記憶部に保持する工程と、
前記第２の無線通信を行う第２の電子機器を第２のインターネットアクセスポイントに関連付けて前記記憶部に保持する工程と、
前記第１の電子機器との間で前記第２の無線通信が確立されている場合に、前記第２のアクセスポイントを検出したときには、前記第２の電子機器との間で前記第２の無線通信を確立する工程と、を含んでもよい。
［形態１３］
前記無線通信方法は、前記携帯端末が、前記第１の電子機器との間で前記第２の無線通信が確立されている場合に、前記第２のアクセスポイントを検出したときには、前記第１の電子機器との間に確立された前記第２の無線通信を切断する工程を含んでもよい。
［形態１４］
前記無線通信方法は、前記携帯端末が、前記第２の無線通信を行う電子機器および該電子機器で再生されるコンテンツをインターネットアクセスポイントに関連付けて前記記憶部に保持する工程と、
検出したインターネットアクセスポイントに関連付けられた電子機器との間で前記第２の無線通信を行うことで、該電子機器に対して、該インターネットアクセスポイントに関連付けられたコンテンツを再生するように指示する工程と、を含んでもよい。
［形態１５］
前記無線通信方法において、前記携帯端末は、ＧＰＳ（Global Positioning System）機能を用いて前記位置情報を検出してもよい。
［形態１６］
前記無線通信方法は、前記携帯端末が、前記第２の無線通信を行う第１の電子機器を第１の位置情報に関連付けて前記記憶部に保持する工程と、
前記第２の無線通信を行う第２の電子機器を第２の位置情報に関連付けて前記記憶部に保持する工程と、
前記第１の電子機器との間で前記第２の無線通信が確立されている場合に、前記第２の位置情報を検出したときには、前記第２の電子機器との間で前記第２の無線通信を確立する工程と、を含んでもよい。
［形態１７］
前記無線通信方法は、前記携帯端末が、前記第１の電子機器との間で前記第２の無線通信が確立されている場合に、前記第２の位置情報を検出したときには、前記第１の電子機器との間に確立された前記第２の無線通信を切断する工程を含んでもよい。
［形態１８］
前記無線通信方法は、前記携帯端末が、第２の無線通信を行う電子機器および該電子機器で再生されるコンテンツを前記携帯端末の位置情報に関連付けて前記記憶部に保持する工程と、
検出した位置情報に関連付けられた電子機器との間で前記第２の無線通信を行うことで、該電子機器に対して、該位置情報に関連付けられたコンテンツを再生するように指示する工程と、を含んでもよい。
［形態１９］
前記第３の視点に係るプログラムのとおりである。
［形態２０］
前記プログラムは、前記第２の無線通信を行う第１の電子機器を第１のインターネットアクセスポイントに関連付けて前記記憶部に保持する処理と、
前記第２の無線通信を行う第２の電子機器を第２のインターネットアクセスポイントに関連付けて前記記憶部に保持する処理と、
前記第１の電子機器との間で前記第２の無線通信が確立されている場合に、前記第２のアクセスポイントを検出したときには、前記第２の電子機器との間で前記第２の無線通信を確立する処理とを、前記コンピュータに実行させてもよい。
［形態２１］
前記プログラムは、前記第１の電子機器との間で前記第２の無線通信が確立されている場合に、前記第２のアクセスポイントを検出したときには、前記第１の電子機器との間に確立された前記第２の無線通信を切断する処理を、前記コンピュータに実行させてもよい。
［形態２２］
前記プログラムは、前記携帯端末が、前記第２の無線通信を行う電子機器および該電子機器で再生されるコンテンツをインターネットアクセスポイントに関連付けて前記記憶部に保持する処理と、
検出したインターネットアクセスポイントに関連付けられた電子機器との間で前記第２の無線通信を行うことで、該電子機器に対して、該インターネットアクセスポイントに関連付けられたコンテンツを再生するように指示する処理とを、前記コンピュータに実行させてもよい。
【００２８】
（実施形態１）
第１の実施形態に係る携帯端末について、図面を参照して説明する。図１は、本実施形態の携帯端末１０の概略構成を一例として示すブロック図である。図１を参照すると、携帯端末１０は、第１の通信部１１、第２の通信部１２、および、記憶部１３を備えている。携帯端末１０は、例えば、携帯電話機、ノートＰＣ（Personal Computer）などであってもよいが、これらに限定されない。
【００２９】
通信部１１は、インターネットアクセスポイント（以下、「アクセスポイント」ともいう。）に接続するための第１の無線通信（例えば、Wi-Fi通信）を行う。一方、通信部１２は、オーディオ、ヘッドセットなどの電子機器に接続するための第２の無線通信（例えば、Bluetooth通信）を行う。記憶部１３は、通信部１２との間で第２の無線通信を行う電子機器をインターネットアクセスポイントに関連付けて保持する。通信部１２は、通信部１１によって検出されたインターネットアクセスポイントに対して記憶部１３において関連付けられた電子機器との間で第２の無線通信を確立する。以下では、第１の無線通信をWi-Fi通信とし、第２の無線通信をBluetooth通信として説明するが、第１および第２の無線通信は、これらに限定されない。
【００３０】
図２は、本実施形態の携帯端末１０の詳細な構成を一例として示すブロック図である。図２を参照すると、携帯端末１０は、アンテナ部１５、ＣＰＵ１８、入力部２１、および、表示部２２をさらに備える。また、通信部１１はWi-Fi部を備え、通信部１２はBluetooth部１７を備える。記憶部１３は、ＲＯＭ（Read Only Memory）１９およびＲＡＭ（Random Access Memory）２０を備える。
【００３１】
アンテナ部１５は、Wi-Fi通信およびBluetooth通信を行う。Wi-Fi部１６は、アクセスポイントの検出制御を行う。Bluetooth部１７は、ヘッドセット機器、ステレオセット機器などのBluetooth機能搭載の周辺機器との間でデータ送受信制御を行う。ＣＰＵ１８は、携帯端末１０全体の制御を行う。ＲＯＭ１９は、携帯端末１０の動作プログラムを保持する。ＲＡＭ２０は、ユーザデータや一時的なデータを保持する。表示部２２は、通信状態や携帯端末１０の機能状態を表示する。入力部２１は、携帯端末１０のユーザがキー操作などにより入力を行う。
【００３２】
図３は、本実施形態に係る携帯端末１０の記憶部１３に格納されたテーブルを一例として示す図である。記憶部１３は、通信部１２との間でBluetooth通信を行う電子機器Ｅ１をアクセスポイントＡ１に関連付けて保持するとともに、通信部１２との間でBluetooth通信を行う電子機器Ｅ２をアクセスポイントＡ２に関連付けて保持する。
【００３３】
図４は、本実施形態に係る携帯端末１０の動作を一例として示す図である。通信部１２は、電子機器Ｅ１との間でBluetooth通信が確立されている場合に、携帯端末１０のユーザが移動することで、通信部１１のWi-Fi通信によってアクセスポイントＡ２が検出されたときには、電子機器Ｅ２との間でBluetooth通信を確立する。なお、通信部１２は、電子機器Ｅ１との間でBluetooth通信が確立されている場合に、通信部１１のWi-Fi通信によってアクセスポイントＡ２が検出されたときには、電子機器Ｅ１との間に確立されたBluetooth通信を切断してもよい。
【００３４】
図５は、本実施形態の携帯端末１０の動作を一例として示すブロック図である。ここでは、図３の表に示すように、携帯端末１０の記憶部１３には、自宅、会社などで検出するアクセスポイント（例えば、Ａ１〜Ａｍ）が事前に登録されているものとする。また、登録したアクセスポイント毎に、Bluetooth接続機能を備えた電子機器が接続切替先として紐付けして登録されているとする。図３では、アクセスポイントＡｉ（ｉ＝１〜ｍ）に対して、電子機器Ｅｉが関連付けられている。
【００３５】
なお、図３では、１つのアクセスポイントに対して１つの電子機器が関連付けられているが、アクセスポイントの中には、電子機器に関連付けられないものが存在してもよいし、１つのアクセスポイントに対して複数の電子機器が関連付けられるようにしてもよい。
【００３６】
上記の登録準備が完了した後、携帯端末１０が電子機器（例えば、ヘッドセット機器）とBluetooth通信中に、Wi-Fi部１６によって任意のアクセスポイントを検出した場合（ステップＳ１）、検出したアクセスポイントが携帯端末１０の記憶部１３に登録済みのアクセスポイントかどうかを照合する（ステップＳ２）。
【００３７】
検出したアクセスポイントが記憶部１３に登録されたアクセスポイントである場合（ステップＳ２のＹｅｓ）、アクセスポイントに紐付けられた電子機器に対してBluetooth接続を変更する（ステップＳ３）。一方、検出したアクセスポイントが記憶部１３に登録されたアクセスポイントでない場合（ステップＳ２のＮｏ）、元の電子機器との接続を継続するか、または、携帯端末１０のユーザによる操作に応じて、Bluetooth通信の接続先の電子機器を変更する（ステップＳ４）。
【００３８】
近年、Bluetooth通信対応の電子機器が増加しており、携帯電話機などの携帯端末から、ヘッドセット機器、オーディオ機器などに向けて、携帯端末内の音楽データ、画像データなどの資源（コンテンツ）を送信し、これらの機器において資源を再生する機会が増加している。しかしながら、Bluetooth通信によって携帯端末と接続する電子機器を変更する都度、携帯端末のユーザが入力操作を行うことは煩わしい。
【００３９】
本実施形態の携帯端末１０によると、自宅、勤務先などの環境毎にBluetooth接続する電子機器をユーザが事前に登録することで、ユーザの操作を介することなく、Bluetooth通信の接続先の電子機器を変更することが可能となる。
【００４０】
本実施形態では、携帯端末１０に搭載されたWi-Fi通信機能で検出されたアクセスポイント情報に基づいて、携帯端末１０のBluetooth通信の接続先の電子機器を、ユーザ操作を介することなく切り替える。
【００４１】
また、本実施形態の携帯端末１０によると、Wi-Fi通信のアクセスポイントとBluetooth通信の接続先の電子機器の組み合わせを自由に登録することができ、自宅、職場などでBluetooth通信先の電子機器を容易に切り替えることができる。かかる携帯端末１０によると、携帯端末１０内に保存された音楽データ等の個人の資源を容易に有効活用することができる。
【００４２】
（実施形態２）
第２の実施形態に係る携帯端末について、図面を参照して説明する。本実施形態の無線端末の構成は、第１の実施形態の携帯端末１０の構成（図１、図２）と同様である。ただし、本実施形態では、携帯端末１０の記憶部１３において、アクセスポイントに対して、Bluetooth通信の接続先の電子機器を紐付けするのみならず、電子機器において再生される音楽データ、画像データなどのコンテンツも併せて紐付けする。これにより、Bluetooth通信の接続先の電子機器を変更した際に、電子機器で再生されるコンテンツを変更できるようにする。
【００４３】
図６は、本実施形態の携帯端末１０の記憶部１３に格納されたテーブルを一例として示す図である。図６を参照すると、記憶部１３は、通信部１２との間でBluetooth通信を行う電子機器Ｅｉ（ｉ＝１〜ｍ）および当該電子機器Ｅｉで再生されるコンテンツＣｉをアクセスポイントＡｉに関連付けて保持する。
【００４４】
なお、図６では、１つのアクセスポイントに対して１つの電子機器および１つのコンテンツが関連付けられているが、アクセスポイントの中には、電子機器やコンテンツに関連付けられないものが存在してもよいし、１つのアクセスポイントに対して複数の電子機器や複数のコンテンツが関連付けられるようにしてもよい。
【００４５】
通信部１２は、通信部１１のWi-Fi通信によって検出されたアクセスポイント（例えばＡ１）に関連付けられた電子機器Ｅ１との間でBluetooth通信を行うことで、電子機器Ｅ１に対して、アクセスポイントＡ１に関連付けられたコンテンツＣ１を再生するように指示する。
【００４６】
本実施形態の携帯端末１０によると、自宅、勤務先などの環境毎にBluetooth接続する電子機器および電子機器で再生すべきコンテンツをユーザが事前に登録することで、ユーザの操作を介することなく、Bluetooth通信の接続先の電子機器および電子機器で再生されるコンテンツを変更することが可能となる。
【００４７】
本実施形態の携帯端末１０によると、例えば、携帯端末１０とヘッドセットとの間でBluetooth通信中のユーザが自宅の玄関前に立つだけで、自宅内の電子機器から音楽や画像を再生して、自宅内の家族へ帰宅を通知するこが可能となる。
【００４８】
（実施形態３）
第３の実施形態に係る携帯端末について、図面を参照して説明する。本実施形態の無線端末の構成は、第１の実施形態の携帯端末１０の構成（図１、図２）と同様である。ただし、本実施形態の携帯端末１０は、ＧＰＳ（Global Positioning System）機能が搭載されているものとする。ＧＰＳ機能を備えた携帯端末によると、携帯端末は自身の位置情報を取得することができる。本実施形態では、Bluetooth通信の接続先の電子機器を切り替える条件を、第１および第２の実施形態のようにアクセスポイント検出時とする代わりに、携帯端末の位置情報検出時とする。
【００４９】
図７は、携帯端末１０の記憶部１３に格納されたテーブルを一例として示す図である。図７（ａ）を参照すると、記憶部１３は、通信部１２との間でBluetooth通信を行う電子機器Ｅ１を位置情報Ｌ１に関連付けて保持する。また、記憶部１３は、通信部１２との間でBluetooth通信を行う電子機器Ｅ２を位置情報Ｌ２に関連付けて保持する。
【００５０】
なお、図７（ａ）では、１つの位置情報に対して１つの電子機器が関連付けられているが、位置情報の中には、電子機器に関連付けられないものが存在してもよいし、１つの位置情報に対して複数の電子機器が関連付けられるようにしてもよい。
【００５１】
通信部１２は、電子機器Ｅ１との間でBluetooth通信が確立されている場合に、携帯端末１０のＧＰＳ機能によって位置情報Ｌ２が検出されたときには、電子機器Ｅ２との間でBluetooth通信を確立する。なお、通信部１２は、電子機器Ｅ１との間でBluetooth通信が確立されている場合に、位置情報Ｌ２が検出されたときには、電子機器Ｅ１との間に確立されたBluetooth通信を切断してもよい。
【００５２】
図７（ｂ）を参照すると、記憶部１３は、通信部１２との間でBluetooth通信を行う電子機器Ｅｉ（ｉ＝１〜ｎ）および電子機器Ｅｉで再生されるコンテンツＣｉを携帯端末１０の位置情報Ｌｉに関連付けて保持するようにしてもよい。
【００５３】
なお、図７（ｂ）では、１つの位置情報に対して１つの電子機器および１つのコンテンツが関連付けられているが、位置情報の中には、電子機器やコンテンツに関連付けられないものが存在してもよいし、１つの位置情報に対して複数の電子機器や複数のコンテンツが関連付けられるようにしてもよい。
【００５４】
図８は、本実施形態の携帯端末１０の動作を一例として示す図である。図８を参照すると、通信部１２は、携帯端末１０のＧＰＳ機能によってＧＰＳ衛星３０と通信する。通信部１２は、ＧＰＳ機能によって検出された携帯端末１０の位置情報（例えば、Ｌ１）に関連付けられた電子機器Ｅ１との間でBluetooth通信を行うことで、電子機器Ｅ１に対して、位置情報Ｌ１に関連付けられたコンテンツＣ１を再生するように指示する。
【００５５】
携帯端末１０のユーザが移動し、携帯端末１０のＧＰＳ機能によって位置情報Ｌ２が検出された場合、通信部１２は、位置情報Ｌ２に関連付けられた電子機器Ｅ２との間でBluetooth通信を行うことで、電子機器Ｅ２に対して、位置情報Ｌ２に関連付けられたコンテンツＣ２を再生するように指示する。
【００５６】
本実施形態の携帯端末１０によると、自宅、勤務先などの環境毎にBluetooth接続する電子機器をユーザが事前に登録することで（図７（ａ）参照）、ユーザの操作を介することなく、Bluetooth通信の接続先の電子機器を変更することが可能となる。
【００５７】
また、本実施形態の携帯端末１０によると、自宅、勤務先などの環境毎にBluetooth接続する電子機器および電子機器で再生すべきコンテンツをユーザが事前に登録することで（図７（ｂ）参照）、ユーザの操作を介することなく、Bluetooth通信の接続先の電子機器および電子機器で再生されるコンテンツを変更することが可能となる。
【００５８】
なお、上記の特許文献等の先行技術文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００５９】
１０    携帯端末
１１、１２    通信部
１３    記憶部
１５    アンテナ部
１６    Wi-Fi部
１７    Bluetooth部
１８    ＣＰＵ
１９    ＲＯＭ
２０    ＲＡＭ
２１    入力部
２２    表示部
３０    ＧＰＳ衛星
１１０    携帯端末
Ａ１〜Ａｍ、Ａ１〜Ａｎ    アクセスポイント
Ｃ１〜Ｃｍ、Ｃ１〜Ｃｎ    コンテンツ
Ｅ１〜Ｅｍ、Ｅ１〜Ｅｎ    電子機器
Ｅａ    ホームステレオ
Ｅｂ    ヘッドセット
【図１】
2013251809.tif 000003
【図２】
2013251809.tif 000004
【図３】
2013251809.tif 000005
【図４】
2013251809.tif 000006
【図５】
2013251809.tif 000007
【図６】
2013251809.tif 000008
【図７】
2013251809.tif 000009
【図８】
2013251809.tif 000010
【図９】
2013251809.tif 000011